(57)【特許請求の範囲】
【請求項１】
おがくず、中空ガラスビーズ、シラスバルーン、パーライト、シリカ粉末、グラスウール、シリカ−アルミナ系粉末、発泡ウレタン樹脂粉末、発泡スチロール粉末の１種又は２種以上からなる断熱材層に塩化ナトリウム、塩化亜鉛、塩化アンモニウム、塩化カリウム、塩化カルシウム、硝酸ナトリウム、硫酸ナトリウムの１種又は２種以上の寒剤を混入し、断熱材層を雪層上に形成し、雪層を外部に対し熱遮断したことを特徴とするスキー場の積雪保存構造。
【請求項２】
地面に形成した凹部の側壁に対向して配置した断熱材からなる擁壁と、凹部の周囲の地面に配置されかつ熱を反射するアルミニウム箔マットと、凹部の底部に形成されかつ融雪した水を排水する排水パイプとを備えた請求項１に記載のスキー場の積雪保存構造。
【請求項３】
地面に形成した凹部の底部及び底部に対して傾斜して形成した側壁に断熱材層を形成し、断熱材層の上に雪層を形成し、雪層の上に更に断熱材層を形成した請求項１又は２に記載のスキー場の積雪保存構造。
【請求項４】
雪層と断熱材層とを交互に形成した請求項１〜３のいずれか１項に記載のスキー場の積雪保存構造。
【請求項５】
雪層の上に形成した断熱材層の上に第２の雪層を形成し、第２の雪層の上に第３の雪層を設け、道路から除雪した雪により第３の雪層の上に第４の雪層を形成した請求項１〜４のいずれか１項に記載のスキー場の積雪保存構造。
【発明の詳細な説明】
【０００１】
【発明の属する技術分野】
本発明は、スキーを行うのに十分な量の雪を長期間保存するスキー場の積雪保存方法に属する。
【０００２】
【従来の技術】
春及び夏には気温が高くなり雪が溶けやすくなってスキーシーズンが終了する。例えば、特開昭６１−２２２４７１号に示されるように、融雪を防ぐ従来の方法が知られている。この方法は、スキースロープ上にかなりの雪層が残る間にスロープのスキー場を閉鎖し、下側の雪と組み合わせて、氷点以上の気温である春、夏及び秋を通じて作用した時に、秋の降雪時までに、初雪を受け、その初雪を保存して適切なスキー条件を整えるのに適切な根雪が残って、根雪が存在しない場合にスキー可能条件が整う日よりも早い日にスキー可能条件を整えて、残雪の融解速度が制限される特性を有する絶縁材の層でスロープの少なくとも一部を覆った後、絶縁材の助けなしに雪が適当な根雪として保存され続ける温度に気温が低下した後で、スロープ上の雪の覆われた部分から絶縁材シートを除去する。絶縁材シートは、おがくず、ガラス繊維、ロックウール、絶縁ボードの小さいシートを収容したキルティングで、キルティングの上面と下面はアルミニウム箔で覆われる。他面、特公昭６２−６１７２１号には気泡により雪の表面を覆って融雪を防ぐ融雪制御方法が開示されている。この方法は、２枚のビニールシート間にビニール製の気泡をサンドイッチ状に内含する絶縁シートで雪の表面を被覆して、約２０％の融雪を抑制することができる。
【０００３】
【発明が解決しようとする課題】
しかしながら、広い面積のスキー場で雪上にシートを覆い、これを取り除く作業に、労力及び設備に膨大なエネルギを必要とする。
本発明は、広い面積のスキー場の雪上でも、簡単にかつ効率よく積雪を保存するスキー場の積雪保存構造を提供することを目的とする。
【０００４】
【課題を解決するための手段】
本発明によるスキー場の積雪保存構造は、おがくず、中空ガラスビーズ、シラスバルーン、パーライト、シリカ粉末、グラスウール、シリカ−アルミナ系粉末、発泡ウレタン樹脂粉末、発泡スチロール粉末の１種又は２種以上からなる断熱材粉末の断熱材層（８、１０、１２）に塩化ナトリウム、塩化亜鉛、塩化アンモニウム、塩化カリウム、塩化カルシウム、硝酸ナトリウム、硫酸ナトリウムの１種又は２種以上の寒剤を断熱材層（８、１０、１２）に混入し、断熱材層（８、１０、１２）を雪層（９、１１）上に形成し、雪層（９、１１）を外部に対し熱遮断する。
【０００５】
前記特定の断熱材粉末を広い面積のスキー場に粉末散布器で簡単に散布できる。前記特定の寒剤を使用すると、雪が一部分溶けて水になり、寒剤がその中に溶解する。このとき、雪の融解熱と寒剤の溶解熱（ともに吸熱）によって温度は徐々に降下するが、共融点に達すれば融解は止まり、温度が一定に保持されるため、効率よく積雪を保存できる。
【０００６】
本発明による他の実施の形態では、地面（１）に形成した凹部（２）の側壁（３）に対向して配置した断熱材からなる擁壁（４）と、凹部（２）の周囲の地面に配置されかつ熱を反射するアルミニウム箔マット（５）と、凹部（２）の底部（６）に形成されかつ融雪した水を排水する排水パイプ（７）とを設けてもよい。断熱材の擁壁（４）により地熱を防ぎ、アルミニウム箔マット（５）で太陽熱を反射するので、効率よく積雪を保存できる。
【０００７】
地面（１）に形成した凹部（２）の底部（６）及び底部（６）に対して傾斜して形成した側壁（３）に断熱材層（８）を形成し、断熱材層（８）の上に雪層（９、１１）を形成し、雪層（９、１１）の上に更に断熱材層（１２）を形成してもよい。雪層（９、１１）と断熱材層（８、１０、１２）とを交互に形成してもよく、雪層（９）の上に形成した断熱材層（１０）の上に第２の雪層（１１）を形成し、第２の雪層（１１）の上に第３の雪層（１３）を設け、道路から除雪した雪により第３の雪層（１３）の上に第４の雪層（１４）を形成してもよい。
【０００８】
【発明の実施の形態】
以下、本発明によるスキー場の積雪保存構造による実施の形態を図１及び図２について説明する。
図１に示すように、本発明の実施の形態によるスキー場の積雪保存構造は、地面１に形成した長さ約５０ｍで高さ約３ｍの凹部２を有する。凹部２の側壁３に対向して断熱材からなる擁壁４が配置され、凹部２の周囲の地面１には熱を反射するアルミニウム箔マット５が配置される。断熱材の擁壁４により地熱を防ぎ、アルミニウム箔マット５で太陽熱を反射するので、効率よく積雪を保存できる。
【０００９】
また、凹部２の底部６には融雪した水を排水する排水パイプ７が設けられる。凹部２内には第１の断熱材層８と、第１の断熱材層８の上に形成された第１の雪層９と、第１の雪層９上に形成された第２の断熱材層１０と、第２の断熱材層１０上に形成された第２の雪層１１と、第２の雪層１１上に形成された第３の断熱材層１２と、第３の断熱材層１２上に形成された第３の雪層１３と、第３の雪層１３上に形成された第４の雪層１４とからなる。第３の断熱材層１２と第３の雪層１３とを重ねた高さは約２ｍで、第４の雪層１４は約３ｍである。第１の断熱材層８、第２の断熱材層１０及び第３の断熱材層１２はいずれもおがくず、中空ガラスビーズ、シラスバルーン、パーライト、シリカ粉末、グラスウール、シリカ−アルミナ系粉末、発泡ウレタン樹脂粉末、発泡スチロール粉末の１種又は２種以上からなる。第１の雪層９及び第２の雪層１１は積雪又は他の場所の雪を運搬して積層し、第３の雪層１３は通常の積雪により形成された雪層で、第４の雪層１４は道路から除雪した雪を利用することができる。このように、第１〜第３の断熱材層８、１０及び１２を第１の雪層９の下及び上並びに第２の雪層１１の上に形成するので、第１〜第３の雪層９、１１及び１３を外部に対し完全に熱遮断することができる。また、第３の雪層１３は第４の雪層１４によって外部に対し熱遮断することができる。更に、広い面積のスキー場に前記断熱材粉末を粉末散布器で簡単に散布できる。この場合、塩化ナトリウム、塩化亜鉛、塩化アンモニウム、塩化カリウム、塩化カルシウム、硝酸ナトリウム、硫酸ナトリウムの１種又は２種以上の寒剤を断熱材層に混入してもよい。前記寒剤を使用すると、雪が一部分溶けて水になり、寒剤がその中に溶解する。このとき、雪の融解熱と寒剤の溶解熱（ともに吸熱）によって温度は徐々に降下するが、共融点に達すれば融解は止まり、温度が一定に保持されるため、効率よく積雪の保存できる。
【００１０】
図２は、本発明の他の実施の形態を示す。図２に示すように、地面１に形成した約５０ｍの長さの凹部２の底部６及び底部６に対して約３０度の角度で傾斜して形成した側壁３に前記と同様の断熱材層１５を形成し、断熱材層１５の上に第１の雪層９及び第２の雪層１１を形成し、第１の雪層９及び第２の雪層１１の上に更に第３の断熱材層１２を交互に形成してもよい。この場合、第１の断熱材層８から第３の断熱材層１２までを重ねた高さは約３ｍで、第３の雪層１３及び第４の雪層１４の高さはそれぞれ約２ｍ及び３ｍである。
【００１１】
【実施例】
［例  １］
４月中に日中の最低温度が−１℃前後になるスキー場に降雪した約５０ｃｍ〜約１ｍの厚さの雪上に粉末散布器で約３ｍｍ角のおがくず粉末を約１ｃｍの厚さに散布した。また、降雪約２０ｃｍの雪の上に粉末散布器で約３ｍｍ角のおがくず粉末を約１ｃｍの厚さに散布した。このスキー場では、６月下旬から７月上旬にかけ、約３０ｃｍ〜約５０ｃｍの厚さのシャーベット状の雪上で十分にスキーを安全に堪能できた。
【００１２】
［比較例］
例１に示すスキー場の積雪保存構造を備えたスキー場で、おがくずの粉末を散布しない場所で６月下旬から７月上旬にかけて、積雪が約５ｃｍ〜約１０ｃｍであったため、灌木、石等が露出し危険なので、スキーを行う事ができなかった。
【００１３】
［例  ２］
スキー場において、６月下旬から７月上旬にかけ、図１に示すスキー場の積雪保存構造によって第１の雪層９及び第２の雪層１１まで積雪が保存され、春夏積雪ラインまでの厚さにあったため、シャーベット状の雪上で十分にスキーを安全に堪能する事ができた。
【００１４】
［例  ３］
約３ｍｍ角のおがくず６０部、シラスバルーン２０部、塩化ナトリウム５部、硫酸ナトリウム１５部、計１００部を混合して保存材を製造した。上記の各材料の粉末をヘンシェルミキサで十分に混合し保存材を製造した。
【００１５】
４月中に日中の最低温度が−１℃前後になるスキー場で図２に示すスキー場の積雪保存構造の積雪が第２の雪層１１の上面である春夏積雪ラインの上、約４０ｃｍ〜約７０ｃｍの厚さの雪上に粉末散布器で保存材の粉末を約５ｃｍの厚さに散布した。また、約１５ｃｍの降雪があった雪の上に、粉末散布器で保存材の粉末を約５ｃｍの厚さに散布した。
このスキー場では、６月下旬から７月上旬にかけ、約２０ｃｍ〜約４０ｃｍの厚さのシャーベット状の雪上で、十分にスキーを安全に堪能できた。
【００１６】
【発明の効果】
本発明により、広い面積のスキー場の雪上でも簡単に保存材を散布でき、しかも、効率よく積雪を保存できるため、６月下旬から７月上旬にかけても、十分にスキーを安全に堪能することができる。
【図面の簡単な説明】
【図１】本発明によるスキー場の積雪保存構造による実施の形態を示す断面図
【図２】本発明によるスキー場の積雪保存構造による他の実施の形態を示す断面図
【符号の説明】
１・・地面、  ２・・凹部、  ３・・側壁、  ４・・擁壁、  ５・・アルミニウム箔マット、  ６・・底部、  ７・・排水パイプ、  ８・・第１の断熱材層、９・・第１の雪層、  １０・・第２の断熱材層、  １１・・第２の雪層、  １２・・第３の断熱材層、  １３・・第３の雪層、  １４・・第４の雪層、
【図１】
0003588261.tif 000002
【図２】
0003588261.tif 000003